(57)【特許請求の範囲】
【請求項１】
ドアクローザでドア(1)を自動的に閉じ、絞り込みハンドル(8)で操作される絞り込み機構(6)により、ドア(1)とドア枠(3)との間に介装された弾性材からなるパッキン(11)を一定以上圧縮して、室内の気密を保つように完全閉鎖するヒンジ型ドアの自動閉鎖装置であって、
その絞り込み機構(6)は、ドア(1)の外面側から内面側まで貫通した回転自在な軸(7)と、その軸(7)の両端部にそれぞれ固定された２つの手動の絞り込みハンドル(8)と、絞り込みハンドル(8)に連結された閉鎖片(9)と、ドア枠(3)に設けた受部材(10)とを有し、その閉鎖片(9)と受部材(10)とは、閉鎖片(9)の回転時に接触し、その接触面が絞り込み用のテーパ面とされており、
前記絞り込みハンドル(8)とは別に、前記軸(7)に連結され、ドアの絞り込み機構(6)を自動で駆動する駆動部(12)と、ドア閉じを検出する閉検出器(17)と、閉検出器(17)からのドア閉じ検出信号により絞り込み機構(6)をドア閉鎖位置に駆動するように駆動部(12)に駆動信号を出力する制御装置(19)を備え、
その制御装置(19)は、前記手動の絞り込みハンドル(8)が回転操作されることなく、閉検出器(17)がドア閉じを検出してから予め設定された時間経過後に駆動信号を出力することを特徴とするヒンジ型ドアの自動閉鎖装置。
【請求項２】
駆動部(12)は、絞り込み機構(6) をドア閉鎖位置に駆動する駆動レバー(14)と、駆動レバー(14)を駆動する駆動源(15)とを有する請求項１に記載のヒンジ型ドアの自動閉鎖装置。
【発明の詳細な説明】
【０００１】
【発明の属する技術分野】
本発明はドアクローザで自動的に閉じ、絞り込みハンドルで操作される絞り込み機構により完全閉鎖するようになされたヒンジ型ドアの自動閉鎖装置に関する。
【０００２】
【従来の技術】
一般的なヒンジ型ドアの上部には油圧駆動によって開放状態のドアを自動的に閉じるドアクローザ（ドアチェッカー）が設けられる。しかしドアクローザはドアを一応閉じた状態にすることはできるが、ドアのひずみや摩擦抵抗などがあるため完全閉鎖が困難な場合も多い。
冷凍庫のドア、防音性や防臭性を求められるドア、放射性物質を含む粉塵を有する原子力発電所の作業室等の気密性を要求される施設のドアなどは完全閉鎖が要求される。このような場所に設置するためのドアとして、ドアクローザと共に完全閉鎖用の絞り込み機構を備えたものがある。これは、ドアとドア枠との間にスポンジ等の弾性材からなるパッキンが介装され、そのパッキンを一定以上圧縮して、室内の気密性を保つものである。
【０００３】
図５は従来の絞り込み機構を備えたヒンジ開閉型ドアを上方から見た平面図、図６はその横断面図である。ドア１は壁部２に取り付けられたドア枠３にヒンジ機構４で回転自在に連結され、ドア１の上部とドア枠３の上部との間にドアクローザ５が取り付けられ、さらにドア１のヒンジ機構４と反対側の端部に絞り込み機構６が設けられる。絞り込み機構６はドア１の外面側から内面側まで貫通した回転自在な軸７と、軸７の両端部にそれぞれに固定された２つの絞り込みハンドル８と、一方の絞り込みハンドル８に連結された閉鎖片９を有している。なお閉鎖片９はドア枠３に設けた受部材１０に掛合してドア１を完全閉鎖するようになっており、受部材１０との接触面が絞り込み用のテーパ面とされる。
【０００４】
ドアクローザ５の作用によりドア１は開放状態から自動的に閉じた状態に移動するが完全閉鎖はできない。そこでドア１が一応閉じた状態になったとき、ドア１の外面側または内面側のいずれかの絞り込みハンドル８を手で回転すると、それに連結された閉鎖片９が受部材１０に接触し、そのテーパ面を逆上る作用でドア１またはドア枠３に設けた圧縮可能なパッキン１１を圧縮しながら掛合して完全閉鎖状態になる。
【０００５】
【発明が解決しようとする課題】
このように絞り込み機構６を備えたドア１であっても、その絞り込みハンドル８を操作しなければ完全閉鎖はできない。したがって絞り込みハンドルの操作忘れ対策が強く求められている。
そこで本発明はこのような絞り込みハンドルの操作忘れが起こった場合であっても、自動的に絞り込み機構を駆動して完全閉鎖をするヒンジ型ドアの自動閉鎖装置を提供することを課題とする。
【０００６】
【課題を解決するための手段】
すなわち本発明は、ドアクローザでドア(1)を自動的に閉じ、絞り込みハンドル(8)で操作される絞り込み機構(6)により、ドア(1)とドア枠(3)との間に介装された弾性材からなるパッキン(11)を一定以上圧縮して、室内の気密を保つように完全閉鎖するヒンジ型ドアの自動閉鎖装置であって、
その絞り込み機構(6)は、ドア(1)の外面側から内面側まで貫通した回転自在な軸(7)と、その軸(7)の両端部にそれぞれ固定された２つの手動の絞り込みハンドル(8)と、絞り込みハンドル(8)に連結された閉鎖片(9)と、ドア枠(3)に設けた受部材(10)とを有し、その閉鎖片(9)と受部材(10)とは、閉鎖片(9)の回転時に接触し、その接触面が絞り込み用のテーパ面とされており、
前記絞り込みハンドル(8)とは別に、前記軸(7)に連結され、ドアの絞り込み機構(6)を自動で駆動する駆動部(12)と、ドア閉じを検出する閉検出器(17)と、閉検出器(17)からのドア閉じ検出信号により絞り込み機構(6)をドア閉鎖位置に駆動するように駆動部(12)に駆動信号を出力する制御装置(19)を備え、
その制御装置(19)は、前記手動の絞り込みハンドル(8)が回転操作されることなく、閉検出器(17)がドア閉じを検出してから予め設定された時間経過後に駆動信号を出力することを特徴とする（請求項１）。
【０００７】
上記の自動閉鎖装置において、駆動部は絞り込み機構をドア閉鎖位置に駆動する駆動レバーと、駆動レバーを駆動する駆動源とを有することができる（請求項２）。
【０００８】
【発明の実施の形態】
次に、本発明の実施の形態を図面により説明する。
図１は本発明の自動閉鎖装置を使用したヒンジ型ドアを正面から見た断面図、図２はそのII−II断面図、図３は図１における絞り込み機構部分の拡大図である。なお図５，図６と同じ部分には同一符号が付されている。またドアクローザは省略して示してある。
これらの図において、ドア１に設けた絞り込み機構６に隣接して駆動部１２が設けられる。駆動部１２は、表裏２つの絞り込みハンドル８を互いに連結する軸７の中間に固定されたアーム１３と、そのアーム１３を図３において時計方向に押して回転する駆動レバー１４と、駆動レバー１４を回転駆動する駆動源１５を備えている。なお駆動源１５は例えばギア機構を有する減速モータが使用される。
【０００９】
駆動源１５には駆動レバー１４の回転位置を検出する位置検出器１６が設けられる。位置検出器としては小型のリミットスイッチ（マイクロスイッチ）や近接スイッチなどが使用される。
ドア１の上方にドア閉じを検出する閉検出器１７が設けられる。閉検出器１７はドア１がドアクローザによって閉じられたことを検出するもので、例えば近接スイッチが使用される。なお、駆動源１５、位置検出器１６および閉検出器１７は配線ケーブル１８によりドア１の外部に設けた制御装置１９（図１，図４）に接続される。
【００１０】
図４は制御装置１９の１例を示すブロック図である。制御装置１９は遅延素子２０、パルス変換素子２１、２２、フリップフロップ素子２３、パワートランジスタ等のパワー増幅部２４、サイリスタによる制御部２５を有している。なお遅延素子２０は可変コンデンサと抵抗により遅延回路を構成したもので、可変コンデンサの容量を変えることで遅延時間を例えば３秒〜３０秒の範囲に設定することができる。遅延素子２０は人力による絞り込みハンドル８の操作が可能なように、その時間的余裕を与えるために設けられるものである。したがってその必要性がない場合には、遅延素子２０を省略して点線のような経路で制御装置１９を構成する。
【００１１】
次に図４を参照しながら図１〜図３に示す自動閉鎖装置の作用を説明する。先ずドアクローザによりドア１が閉じられると、閉検出器１７が作動してその接点が閉じる。閉検出器１７からの作動信号を受けた遅延素子２０は設定された遅延時間の経過後にタイムアップし、それによってパルス変換素子２１からパルスが出力されてフリップフロップ素子２３がセット状態になる。そのセット信号によりパワー増幅部２４が駆動され、制御部２５は駆動源１５を駆動する。
【００１２】
図３に示すように、駆動源１５が駆動すると駆動レバー１４が矢印のように反時計方向に回転し、それによって軸７に固定されたアーム１３が押圧されて時計方向に回転する。アーム１３の回転により軸７が回転し、軸７に連結した２つの絞り込みハンドル８も矢印のように時計方向に回転する。すると一方の絞り込みハンドル８に連結された閉鎖片９がドア枠３に設けた受部材１０に掛合し、パッキン１１（図６参照）を圧縮して潰しながらドア１を完全閉鎖する。
【００１３】
この状態から駆動レバー１４はアーム１３より離れてさらに回転を続け、位置検出器１６を作動させる。するとパルス変換素子２２（図４）からパルスが出力され、それによってフリップフロップ素子２３がリセットされ、駆動源１５が停止するので、駆動レバー１４はその位置に待機する。以下ドア１が閉じられるごとに同じ動作を繰り返す。
【００１４】
【発明の効果】
以上のように本発明のヒンジ型ドアの自動閉鎖装置は、絞り込み機構を駆動する駆動部と、ドア閉じを検出する閉検出器と、閉検出器からのドア閉じ検出信号により絞り込み機構をドア閉鎖位置に駆動するように駆動部に駆動信号を出力する制御装置を備えていることを特徴とする。そのため、絞り込みハンドルの操作忘れによるドアの閉鎖不完全を自動的に解消することができる。またドア開閉ごとに人力での絞り込みハンドル操作を特に必要としないという効果もある。
【００１５】
さらに、制御装置は閉検出器がドア閉じを検出してから予め設定された時間経過後に駆動信号を出力するように構成したから、それによって人力での絞り込みハンドルの操作もできるように時間的余裕を与えることができる。
上記の自動閉鎖装置において、駆動部は絞り込み機構をドア閉鎖位置に駆動する駆動レバーと、駆動レバーを駆動する駆動源とを有することができ、それによって、簡単な構造で確実にドアを完全閉鎖することができる。
【図面の簡単な説明】
【図１】本発明の自動閉鎖装置を使用したヒンジ型ドアを正面から見た断面図。
【図２】図１のII−II断面図。
【図３】図１における絞り込み機構部分の拡大図。
【図４】制御装置１９のブロック図。
【図５】従来の絞り込み機構を有するヒンジ型ドアの平面図。
【図６】図５の横断面図。
【符号の説明】
１  ドア
２  壁部
３  ドア枠
４  ヒンジ機構
５  ドアクローザ
６  絞り込み機構
７  軸
８  絞り込みハンドル
９  閉鎖片
１０  受部材
１１  パッキン
１２  駆動部
１３  アーム
１４  駆動レバー
１５  駆動源
１６  位置検出器
１７  閉検出器
１８  配線ケーブル
１９  制御装置
２０  遅延素子
２１  パルス変換素子
２２  パルス変換素子
２３  フリップフロップ素子
２４  パワー増幅部
２５  制御部
【図１】
0004443747.tif 000002
【図２】
0004443747.tif 000003
【図３】
0004443747.tif 000004
【図４】
0004443747.tif 000005
【図５】
0004443747.tif 000006
【図６】
0004443747.tif 000007